(57)【特許請求の範囲】
【請求項１】
光源と、
前記光源から射出された光束を３つの色光に分解する色分離光学系と、
前記３つの色光をそれぞれ変調する３つの変調手段と、
前記３つの変調手段によって変調された光束を合成する色合成光学系と、
前記色合成光学系によって合成された変調光束を投写面上に拡大投写する投写手段と、
前記光源から前記３つの変調手段までの距離が最も長い色光の光路中に設けられた導光系を有し、
前記導光系は、前記色分離光学系の光出射側と前記変調装置の光入射側にそれぞれ設けられた第１、第２の集光レンズと、前記第１、第２の集光レンズの間に設けられた中間レンズと、前記第１の集光レンズと前記中間レンズとの間に設けられた入射側反射ミラーと、前記第２の集光レンズと前記中間レンズとの間に設けられた射出側反射ミラーと、を有する投写型表示装置であって、
前記第１、第２の集光レンズ、または前記中間レンズの取り付け位置が調整可能となっていることを特徴とする投写型表示装置。
【請求項２】
請求項１において、
前記光源と前記変調手段との間の光路上には、前記光源から射出された光束を複数の中間光束に分割する複数のレンズを備えた第１のレンズ板並びに複数の集光レンズを備えた第２のレンズ板が配置されていることを特徴とする投写型表示装置。
【請求項３】
請求項２において、
前記第１および第２のレンズ板のうちの少なくとも一方のレンズ板は、光軸に交わる方向に取り付け位置が調整可能となっていることを特徴とする投写型表示装置。
【請求項４】
請求項１〜３のいずれかにおいて、
さらに、前記中間光束のそれぞれをＰ偏光光束とＳ偏光光束とに空間的に分離し、前記Ｐ偏光光束、Ｓ偏光光束のうちいずれか一方の偏光方向を他方の偏光光束の偏光方向と揃えて出射する偏光変換装置を備えていることを特徴とする投写型表示装置。
【請求項５】
請求項４において、
前記偏光変換装置と前記第２のレンズ板とは一体化されてなることを特徴とする投写型表示装置。
【発明の詳細な説明】
【０００１】
【発明の属する技術分野】
本発明は、光源からの出射光に対して液晶ライトバルブ等の変調手段を用いて画像信号に応じた変調を施し、変調後の光束を投写レンズを介してスクリーン上に拡大投写する投写型表示装置に関するものである。さらに詳しくは、本発明はこの形式の投写型表示装置において、液晶ライトバルブ等の変調手段の画像形成領域を適切な状態で照明可能な構造に関するものである。
【０００２】
【従来の技術】
液晶ライトバルブを用いて画像信号に対応した変調光束を形成して当該変調光束をスクリーン上に拡大投写する構成の投写型表示装置は、例えば、特開平３−１１１８０６号公報に開示されている。この公報に開示されている投写型表示装置は、図１４に示すように、光源からの光で変調手段である液晶ライトバルブ９２５の画像形成領域を均一に照明するために、２枚のレンズ板９２１、９２２を備えたインテグレータ光学系９２３を備えている。
【０００３】
図１４において、光源ランプユニット８から出射される単一光束は、第１のレンズ板９２１を構成するレンズ９２１ａにより複数の中間光束に分離され、第２のレンズ板９２２を構成するレンズ９２２ａを介して液晶ライトバルブ９２５上に重畳される。
【０００４】
ここで、図１４に示したような投写型表示装置においては、液晶ライトバルブ９２５の画像形成領域を正確に照明できないと、投写面上に投写された画像の明るさが低下したり、あるいは投写された画像の縁に影ができる等の弊害が発生する。そこで、図１５に示すように、液晶ライトバルブ９２５の画像形成領域Ａには、液晶ライトバルブ９２５やインテグレータ光学系９２３を構成するレンズ板９２１、９２２の位置決め精度、各レンズ板を構成するレンズ９２１ａ、９２２ａの焦点距離等の誤差、光路上に配置される他の光学要素の位置決め精度等を考慮して、その周囲に一定のマージンＭが確保されている。すなわち、液晶ライトバルブ９２５の画像形成領域Ａは、光源からの出射光による照明領域Ｂに対して一回り小さなサイズに設定されており、上に挙げたような各構成要素の位置決め精度等に起因して照明領域Ｂが上下あるいは左右にずれたとしても、画像形成領域Ａが照明領域Ｂからはみださないようになっている。そして、このような構造により、投写画像の縁に影ができたり、投写画像の明るさが低下したりするといった弊害を回避している。上に挙げたような各構成要素の位置決め等の誤差に広く対応できるようにするには、マージンＭを大きくとれば良いことになる。
【０００５】
【発明が解決しようとする課題】
一方、投写画像を明るくするためには、液晶ライトバルブ９２５を照明している光の利用効率を高める必要がある。しかしながら、上述したように、構成要素の位置決め等の誤差に広く対応できるようにマージンＭを大きく設定すると、その分光の利用効率が低減してしまい、投写画像も暗くなってしまう。従って、この点からは、液晶ライトバブルの表示領域の周囲に形成するマージンの幅はなるべく狭くすることが望ましい。しかし、マージンを狭くすると、上記のように、液晶ライトバルブの画像形成領域に対して、照明領域が外れてしまい、投写画像の縁に影ができるおそれが高まる。
【０００６】
本発明の課題は、液晶ライトバルブの画像形成領域の周囲に形成されるマージンを小さくして、なおかつ投写画像の縁に影を作ることなく投写画像の明るさを高めることの可能な投写型表示装置を提案することにある。
【０００７】
【課題を解決するための手段】
上記の課題を解決するために、本発明の投写型表示装置は、光源と、前記光源から射出された光束を３つの色光に分解する色分離光学系と、前記３つの色光をそれぞれ変調する３つの変調手段と、前記３つの変調手段によって変調された光束を合成する色合成光学系と、前記色合成光学系によって合成された変調光束を投写面上に拡大投写する投写手段と、前記光源から前記３つの変調手段までの距離が最も長い色光の光路中に設けられた導光系を有し、前記導光系は、前記色分離光学系の光出射側と前記変調装置の光入射側にそれぞれ設けられた第１、第２の集光レンズと、前記第１、第２の集光レンズの間に設けられた中間レンズと、前記第１の集光レンズと前記中間レンズとの間に設けられた入射側反射ミラーと、前記第２の集光レンズと前記中間レンズとの間に設けられた射出側反射ミラーと、を有する投写型表示装置であって、前記第１、第２の集光レンズ、または前記中間レンズの取り付け位置が調整可能となっていることを特徴とする。
【０００８】
本発明の投写型表示装置において、前記光源と前記変調手段との間の光路上には、前記光源から射出された光束を複数の中間光束に分割する複数のレンズを備えた第１のレンズ板並びに複数の集光レンズを備えた第２のレンズ板が配置されていることが好ましい。
【０００９】
また、このとき、前記第１および第２のレンズ板のうちの少なくとも一方のレンズ板は、光軸に交わる方向に取り付け位置が調整可能となっていることが好ましい。
【００１０】
さらに、本発明の投写型表示装置において、前記中間光束のそれぞれをＰ偏光光束とＳ偏光光束とに空間的に分離し、前記Ｐ偏光光束、Ｓ偏光光束のうちいずれか一方の偏光方向を他方の偏光光束の偏光方向と揃えて出射する偏光変換装置を備えていることが好ましい。
【００１１】
また、このとき、前記偏光変換装置と前記第２のレンズ板とは一体化されてなることが好ましい。
【００１２】
本発明は、上記の構成により、変調手段を照射する照明光の利用効率を高めることができ、投写画像を明るくすることができる。また、変調手段の画像形成領域の周囲に形成したマージンを小さくしても、当該画像形成領域が照明領域内に位置するように、変調手段に対する照明領域の位置を微調整できるので、これらの双方の領域のずれが原因となって投写画像の縁に影ができる等といった弊害も発生しない。
【００１３】
ここで、投写型表示装置の光学系においては、前記光源から前記変調手段に到る光路上に、光路を折り曲げるための反射手段が配置されている場合がある。この場合、当該反射手段の取り付け角度に誤差があると、それが原因となって、変調手段の画像形成領域に対して照明領域がずれてしまうおそれがある。従って、このような位置に配置されている反射手段の取り付け角度も、入射光軸に対して調整可能とすることが望ましい。
【００１４】
また、本発明の投写型表示装置の上記構成は、カラー画像を投写可能な投写型表示装置に対しても同様に適用できる。すなわち、光源からの出射光を各色の光束に分解する色分離光学系と、前記色分離光学系により分離された前記各色の光束に対して変調を施す複数の前記変調手段と、前記複数の変調手段によりそれぞれ変調された前記各色の光束を合成する色合成光学系とをさらに有し、前記色合成光学系により合成された変調光束を前記投写手段を介して投写面上に拡大投写するようになっている投写型表示装置に対しても本発明を同様に適用できる。
【００１５】
このようなカラー画像を投写可能な投写型表示装置では、前記色分離光学系と前記複数の変調手段のうち少なくとも一の変調手段との間の光路中にさらに反射手段が配置される場合がある。この場合、この反射手段の取り付け角度によっては照明領域のずれが発生する恐れがあるため、この反射手段の取り付け角度も入射光軸に対して調整可能としておくことが望ましい。
【００１６】
変調手段と最も近い位置に配置されている反射手段の取り付け角度を調整できるようにしておけば、装置の構成上、あるいは変調手段に対する照明領域の位置調整の精度上最も有利である。
【００１７】
なお、変調手段として反射型の変調手段を用い、色分離光学系と色合成光学系とを同一の光学系で構成すれば、光路長を短くすることができ、投写型表示装置の小型化が可能となる。
【００１８】
また、偏光変換装置を用いることにより、どちらの偏光光束も無駄なく用いることが可能となるため、明るい投写画像を得ることが可能となる。また、第２のレンズ板によって中間光束を偏光変換装置に効率良く導くことが可能となるので、この点からもより明るい投写画像を得ることが可能となる。
【００１９】
ここで、第２のレンズ板と偏光変換装置を一体化すれば、これらの光学要素間における光損失を低減することが可能であり、より一層光の利用効率を向上させることが可能となる。
【００２０】
なお、本発明の投写型表示装置において、第１のレンズ板および第２のレンズ板のうち少なくとも一方の取り付け位置を光軸に交わる方向に調整可能とするためには、そのための調整機構を設ければ良い。この調整機構としては、例えば、前記第１のレンズ板を光軸に直交する第１の方向に調整する第１の調整機構と、前記第２のレンズ板を前記光軸および前記第１の方向に直交する第２の方向に調整する第２の調整機構とを備えた構成が考えられる。
【００２１】
レンズ板の取り付け位置を所定の方向に調整するための調整機構としては、レンズ板の第１の側面側に設けられ、前記レンズ板の第１の側面を押圧するばねと、前記第１の側面と対向する第２の側面側に設けられ、この第２の側面を押圧するねじとを備えた構成を採用できる。このような調整機構によれば、ねじをきつくしたり、緩めたりするだけでレンズ板を所定の方向に移動させることができ、当該レンズ板の取り付け位置を容易に調整できる。
【００２２】
ばねとねじを用いた調整機構において、ばねとして板ばねを用いると共に、ねじによってレンズ板の第２の側面のほぼ中心部を押圧するようにすれば、少ない部材で均一にレンズ板の移動を行うことができる。
【００２３】
【発明の実施の形態】
以下に、図面を参照して、本発明を適用した投写型表示装置を説明する。なお、以下の説明では、互いに直交する３つの方向をＸ、Ｙ、Ｚとし、Ｚを光の進行方向とする。
【００２４】
（全体構成）
図１には本例の投写型表示装置の外観を示してある。本例の投写型表示装置１０００は、光源からの出射光をインテグレータ光学系および色分離光学系を介して赤、青、緑の各色光束として取り出し、これらの各色の光束を各色に対応して配置された液晶ライトバルブに導いてカラー画像信号に応じて変調し、変調後の各色の光束を色合成光学系によって再合成した後に、投写レンズを介してスクリーン上に拡大投写する構成のものである。
【００２５】
図１に示すように、投写型表示装置１０００は直方体形状をした外装ケース２を有しており、この外装ケース２は、基本的には、アッパーケース３と、ロアーケース４と、装置前面を規定しているフロントケース５から構成されている。フロントケース５の中央からは投写レンズユニット６の先端側の部分が突出している。
【００２６】
図２には、投写型表示装置１０００の外装ケース２の内部における各構成部分の配置関係を示してある。この図に示すように、外装ケース２の内部において、その後端側には電源ユニット７が配置されている。これよりも装置前側に隣接した位置には、光源ランプユニット８が配置されている。また、光学ユニット９も配置されている。光学ユニット９の前側の中央には、投写レンズユニット６の基端側が位置している。
【００２７】
一方、光学ユニット９の一方の側には、装置前後方向に向けて入出力インターフェース回路が搭載されたインターフェース基板１１が配置され、これに平行に、ビデオ信号処理回路が搭載されたビデオ基板１２が配置されている。さらに、光源ランプユニット８、光学ユニット９の上側には、装置駆動制御用の制御基板１３が配置されている。装置前端側の左右の角には、それぞれスピーカー１４Ｒ、１４Ｌが配置されている。
【００２８】
光学ユニット９の上面側の中央には冷却用の吸気ファン１５Ａが配置され、光学ユニット９の底面側の中央には冷却用循環流形成用の循環用ファン１５Ｂが配置されている。また、光源ランプユニット８の裏面側である装置側面には排気ファン１６が配置されている。そして、電源ユニット７における基板１１、１２の端に面する位置には、吸気ファン１５Ａからの冷却用空気流を電源ユニット７内に吸引するための補助冷却ファン１７が配置されている。
【００２９】
さらに、電源ユニット７の直上には、その装置左側の位置に、フロッピーディスク駆動ユニット（ＦＤＤ）１８が配置されている。
【００３０】
（光学ユニットおよび光学系）
図３には、光学ユニット９および投写レンズユニット６の部分を取り出して示してある。この図に示すように、光学ユニット９は、その色合成手段を構成しているプリズムユニット９１０以外の光学素子が、上下のライトガイド９０１、９０２の間に上下から挟まれた状態に保持された構成となっている。これらの上ライトガイド９０１、下ライトガイド９０２は、それぞれ、アッパーケース３およびロアーケース４の側に固定ねじにより固定されている。また、これらの上下のライトガイド９０１、９０２は、プリズムユニット９１０の側に同じく固定ねじによって固定されている。プリズムユニット９１０は、ダイキャスト板である厚手のヘッド板９０３の裏面側に固定ねじよって固定されている。このヘッド板９０３の前面には、投写レンズユニット６の基端側が同じく固定ねじによって固定されている。
【００３１】
図４には、光学ユニット９に組み込まれている光学系の概略構成を示してある。この図を参照して、光学ユニット９に組み込まれている光学系について説明する。本例の光学系は、上記の光源ランプユニット８の構成要素である放電ランプ８１と、均一照明光学素子である第１のレンズ板９２１および第２のレンズ板９２２から構成されるインテグレータ光学系９２３とを備えている。また、このインテグレータ光学系９２３から出射される白色光束Ｗを、赤、緑、青の各色光束Ｒ、Ｇ、Ｂに分離する色分離光学系９２４と、各色光束を変調するライトバルブとしての３枚の液晶ライトバルブ９２５Ｒ、９２５Ｇ、９２５Ｂと、変調された色光束を再合成する色合成光学系としてのプリズムユニット９１０と、合成された光束をスクリーン１００の表面に拡大投写する投写レンズユニット６を備えている。さらに、色分離光学系９２４によって分離された各色光束のうち、青色光束Ｂを対応する液晶ライトバルブ９２５Ｂに導く導光系９２７を備えている。
【００３２】
放電ランプ８１としては、ハロゲンランプ、メタルハライドランプ、キセノンランプ等を用いることができる。均一照明光学系９２３は、反射ミラー９３１を備えており、インテグレータ光学系９２３からの出射光の中心光軸１ａを装置前方に向けて直角に折り曲げるようにしている。このミラー９３１を挟み、第１および第２のレンズ板９２１、９２２が直交する状態に配置されている。
【００３３】
放電ランプ８１からの出射光は、リフレクター８２の反射面８２１によって反射されて平行光として第１のレンズ板９２１を照射し、この第１のレンズ板９２１を介して第２のレンズ板９２２を構成している各レンズの入射面上にそれぞれ２次光源像として投写され、当該第２のレンズ板９２２からの出射光を用いて被照明対象物が照明されることになる。すなわち、各液晶ライトバルブ９２５、９２５Ｇ、９２５Ｂの画像形成領域が照明される。
【００３４】
色分離光学系９２４は、青緑反射ダイクロイックミラー９４１と、緑反射ダイクロイックミラー９４２と、反射ミラー９４３から構成される。白色光束Ｗは、まず、青緑反射ダイクロイックミラー９４１において、そこに含まれている青色光束Ｂおよび緑色光束Ｇが直角に反射されて、緑反射ダイクロイックミラー９４２の側に向かう。
【００３５】
赤色光束Ｒはこのミラー９４１を通過して、後方の反射ミラー９４３で直角に反射されて、赤色光束の出射部９４４からプリズムユニット９１０の側に出射される。ミラー９４１において反射された青および緑の光束Ｂ、Ｇは、緑反射ダイクロイックミラー９４２において、緑色光束Ｇのみが直角に反射されて、緑色光束の出射部９４５からプリズムユニット９１０の側に出射される。このミラー９４２を通過した青色光束Ｂは、青色光束の出射部９４６から導光系９２７の側に出射される。本例では、インレグレータ光学系９２３の白色光束の出射部から、色分離光学系９２４における各色光束の出射部９４４、９４５、９４６までの距離が全て等しくなるように設定されている。
【００３６】
色分離光学系９２４の赤色光束、および緑色光束の出射部９４４、９４５の出射側には、それぞれ集光レンズ９５１、９５２が配置されている。したがって、各出射部から出射した各色光束は、これらの集光レンズ９５１、９５２に入射して平行化される。
【００３７】
このように平行化された赤色および緑色の光束Ｒ、Ｇは液晶ライトバルブ９２５Ｒ、９２５Ｇに入射して変調され、各色光に対応した画像情報が付加される。すなわち、これらのライトバルブは、不図示の駆動手段によって画像情報に応じてスイッチング制御されて、これにより、ここを通過する各色光の変調が行われる。このような駆動手段は公知の手段をそのまま使用することができる。一方、青色光束Ｂは、導光系９２７を介して対応する液晶ライトバルブ９２５Ｂに導かれて、ここにおいて、同様に画像情報に応じて変調が施される。本例のライトバルブは、例えば、ポリシリコンＴＦＴをスイッチング素子として用いたものを使用できる。
【００３８】
導光系９２７は、集光レンズ９５３と、入射側反射ミラー９７１と、出射側反射ミラー９７２と、これらの間に配置した中間レンズ９７３と、液晶パネル９２５Ｂの手前側に配置した集光レンズ９５４から構成される。各色光束の光路長、すなわち、インテグレータ光学系の白色光束の出射部から各液晶ライトバルブ９２５Ｒ、９２５Ｇ、９２５Ｂまでの距離は青色光束Ｂの場合が最も長いため、青色光束の光量損失が最も多くなる。しかし、導光系９２７を介在させることにより、青色光束の光量損失を抑制することができる。
【００３９】
次に、各液晶ライトバルブ９２５Ｒ、９２５Ｇ、９２５Ｂを通って変調された各色光束は、色合成光学系９１０に入射され、ここで合成される。本例では、前述のようにダイクロイックプリズムからなるプリズムユニット９１０を用いて色合成光学系を構成している。ここで再合成されたカラー画像は、投写レンズユニット６を介して、所定の位置にあるスクリーン１００の表面に拡大投写される。
【００４０】
（液晶ライトバルブの照明領域調整機構）
本例の投写型表示装置１においては、図４に示すように、インテグレータ光学系９２３による液晶ライトバルブ９２５上の照明領域が、液晶ライトバルブの画像形成領域に対して上下（±Ｙ方向）または左右（±Ｘ方向）に微小調整可能となっている。
【００４１】
図５（Ａ）には、インテグレータ光学系９２３による液晶ライトバルブ９２５上の照明領域Ｂと、液晶ライトバルブ９２５の画像形成領域Ａとの関係を模式的に示してある。一般に、スクリーン１００の投写領域が長方形であるので、それに対応して、液晶ライトバルブ９２５の画像形成領域Ａも長方形となっている。均一照明光学系９２３による照明領域Ｂ（図において想像線で示す領域）もそれに沿った形状とされている。
【００４２】
前述したように、液晶ライトバルブ９２５の画像形成領域Ａは、照明領域Ｂよりも一回り小さなサイズに設定されている。換言すると、表示領域Ａの周囲には所定の幅のマージンをとってある。マージンをとることによって、インテグレータ光学系９２３の各レンズ板９２１、９２２等の光学部品の位置決め誤差等に起因して照明領域の形成位置が変動しても、常に、照明領域Ｂの中に画像形成領域Ａが包含されるようになっている。
【００４３】
本例では、各レンズ板９２１、９２２は、図において矢印で示すように、位置調整機構により光軸１ａに垂直な平面に沿って上下または左右に取り付け位置を微調整可能となっている。位置調整機構としては、板バネと位置調整ねじを備えたものが考えられる。
【００４４】
図６（Ａ）および（Ｂ）には、レンズ板９２１の取り付け位置を左右に微調整する機構の一例を断面図を用いて示してある。図６（Ｂ）は図６（Ａ）のＳ−Ｓ断面図である。これらの図に示すように、位置調整機構７００は、上下のライトガイド９０１、９０２に設けられている。上下のライトガイド９０１、９０２によって、光軸１ａに垂直な平面に沿って上下方向に延びる左右一対の垂直壁７１１、７１２と、これらの垂直壁７１１、７１２の下端を繋ぐ底壁７１３と、これらの垂直壁７１１、７１２の上端を繋ぐ上壁７１４が形成され、各壁７１１〜７１４によって囲われた部分にレンズ板９２１が配置されている。レンズ板９２１は、その下端が底壁７１３に設けられた保持溝７１５に挿入されている。また、レンズ板９２１の下部分は、底壁７１３にねじ７１６を介して設置された固定ばね７１７によって、上部分は、上壁７１４にねじ７１８を介して設置された固定ばね７１９によって、光路上流側（−Ｚ方向）に向かって押しつけられている。レンズ板９２１の上部分は上壁７１４に設けられた凸部７１０に当接している。よって、レンズ板９２１は、上下の取り付け位置が規定されている状態にある。一方、レンズ板９２１は、アライメントばね７２０を介して一方の垂直壁７１１によって支持されている。また、レンズ板９２１は、他方の垂直壁７１２に設けられた調整ねじ７２１によって一方の垂直壁７１１に向かって押されている。このため、調整ねじ７１６のねじ込み量を調整することにより、レンズ板９２１の取り付け位置を左右（±Ｘ方向）にのみ移動させることができる。
【００４５】
従って、例えば、図５（Ｂ）に示すように、照明領域Ｂが液晶ライトバルブ９２５の画像形成領域Ａに対して横方向にずれて、画像形成領域Ａの一部が照明されないような場合には、調整ねじ７２１をきつくしたり、緩めたりして、レンズ板９２１の取り付け位置を左右に微調整することにより、照明領域Ｂの位置を横方向にずらして、図５（Ｃ）に示すように、照明領域Ｂの中に画像形成領域Ａを包含させた状態にすることができる。
【００４６】
なお、本例では、くの字上の板ばねからなるアライメントばね７２０を用い、調整ねじ７２１をレンズ板９２１の垂直壁７１２側の側面のほぼ中心部を押圧するように配置してある。よって、少ない部材で均一にレンズ板９２１の移動を行うことができるようになっている。
【００４７】
一方、レンズ板９２２の取り付け位置を上下（±Ｙ方向）に微調整する機構としては、図６（Ａ）、（Ｂ）において、垂直壁７１１、７１２に設けた調整ねじ７２１、アライメントばね７２０の代わりに、上壁７１４、下壁７１３にこれらと同様に調整ねじおよびアライメントばねを設けることにより容易に実現できるため、その詳細な説明は省略する。
【００４８】
なお、本例では、レンズ板８２１、８２２の取り付け位置を微調整した後、上ライトガイド９０１に設けられた接着剤注入孔９０４ａ、９０４ｂ、９０５ａ、９０５ｂ（図３参照）から接着剤を注入して、これらを固定するようにしている。このような固定は必ずしも必要ではないが、外部からの衝撃によるレンズ板９２１、９２２の取り付け位置のずれを確実に防止するのに有効である。
【００４９】
また、調整ねじとアライメントばねを用いた位置調整機構として、上下のライトガイド９０１、９０２に対して直に調整ねじやアライメントばねを設けずに、別構成のレンズホルダーを採用することも勿論可能である。
【００５０】
さらに、左右（±Ｘ方向）の微調整は、液晶ライトバルブ９２５Ｇ上の画像形成領域Ａの周辺部の照度を測定することにより、自動または手動で行うことができる。図５（Ｂ）に示す状態では、照明領域Ｂが左側にずれており、液晶ライトバルブ９２５Ｇ上の画像形成領域Ａの右隅の照度が低くなっている。このような照明領域Ｂのずれを調整するためには、画像形成領域Ａの左右の照度Ｐ１、Ｐ２が一定の値になるまでレンズ板９２１の取り付け位置を左右（±Ｘ方向）にずらしていけば良い。但し、この調整方法は、予め一定値を設定しておく必要があるので、光量の少ない光源に変更した場合には対応し難い。
【００５１】
そこで、画像形成領域Ａの左右の照度Ｐ１、Ｐ２が等しくなるまでレンズ板９２１の取り付け位置を左右にずらすようにすれば、予め一定値を設定しておく必要がないので、光量の少ない光源に変更した場合でも容易に対応できる。また、画像形成領域Ａの左右の照度Ｐ１、Ｐ２の加算値が最大となるまでレンズ板９２１の取り付け位置を左右にずらすようにしても、予め一定値を設定しておく必要がないので、光量の少ない光源に変更した場合でも容易に対応できる。
【００５２】
なお、左右（±Ｘ方向）の微調整は、液晶ライトバルブ９２５Ｇ上の画像形成領域Ａの周辺部の照度を測定する方法の代わりに、液晶ライトバルブ９２５Ｇを照明光が透過する状態にしておき、その像をスクリーン１００上に投写した場合の投写画像の周辺部の照度を測定することにより、自動または手動で行うこともできる。
【００５３】
図５（Ｂ）に示す状態でスクリーン１００に投写すると、図５（Ｄ）に示すように、投写画像Ｂ’は、本来画像が投写されるはずの領域Ａ’の左隅には投写されない。このため、この左隅の部分の照度が低くなる。このため、本来画像が投写されるはずの領域Ａ’の左右の照度Ｑ１、Ｑ２を測定して、前述した液晶ライトバルブ９２５Ｇ上での照度測定による微調整と同様な方法によって微調整することができる。すなわち、照度Ｑ１、Ｑ２が一定の値になるまでレンズ板９２１の取り付け位置を左右にずらしたり、照度Ｑ１、Ｑ２が等しくなるまでレンズ板９２１の取り付け位置を左右にずらしたり、さらには照度Ｑ１、Ｑ２の加算値が最大になるまでレンズ板９２１の取り付け位置を左右にずらせば良い。なお、前述したように、照度Ｑ１、Ｑ２が等しくなる、または照度Ｑ１、Ｑ２の加算値が最大になるまでレンズ板９２１の取り付け位置を左右にずらすようにすれば、光量の少ない光源に変更した場合にも容易に対応できる。
【００５４】
次に、上下方向（±Ｙ方向）の微調整は、画像形成領域Ａの上下の照度、あるいは投写画像の上下の照度を測定することにより、自動または手動で行うことができる。上下方向の調整の場合でも、左右の微調整の場合と同様に、２箇所の照度が一定の値となるまでレンズ板９２２の上下方向の取り付け位置をずらしていけば良い。また、２箇所の照度が等しくなる、または２箇所の照度の加算値が最大になるまでレンズ板９２２の取り付け位置を上下にずらすようにすれば、光量の少ない光源に変更した場合でも容易に対応できる。
【００５５】
なお、液晶ライトバルブ９２５Ｇの代わりに、他の液晶ライトバルブ９２５Ｒ、９２５Ｂを基準としてインテグレータ光学系９２３の微調整を行っても良い。
【００５６】
微調整を行う際、第１のレンズ板９２１と第２のレンズ板９２２とを同時に動かしても良いが、まず第１のレンズ板９２１を左右に動かして左右方向の微調整を行い、次に第２のレンズ板９２２を上下に動かして上下方向の微調整を行うというように、順次取り付け位置を微調整する方法を採っても良い。但し、上下方向の微調整を先に行い、左右の微調整を後で行っても同様な調整ができるのは勿論である。
【００５７】
上に述べた例では、第１のレンズ板９２１を左右方向に、第２のレンズ板９２２を上下方向に微調整可能としているが、この方向は逆であっても良く、また、第１および第２のレンズ板９２１、９２２の一方の側のみの取り付け位置を微調整可能としても良い。さらに、第１および第２のレンズ板９２１、９２２の取り付け位置を、光軸に交わる任意の方向に調整可能としても良い。このように任意方向の調整を可能とすれば、後に説明する図７に示したような照明領域Ｂのひずみをも解消するすることができ、照明の均一性を向上させることが可能となる。これらの調整形態としては、例えば、以下に示す４通りの組み合わせを挙げることができる。
【００５８】
0003606279.tif 000002
【００５９】
このように、インテグレータ光学系の取り付け位置を微調整可能とすることにより、従来のように、照明領域のずれを予め考慮して、液晶ライトバルブの画像形成領域Ａの周囲に広幅のマージンを設定しておく必要が無い。従って、画像形成領域Ａの周囲に形成すべきマージンは極めて少なくて済むので、照明光の利用効率を高めて、投写画像の明るさを高めることができる。
【００６０】
すなわち、マージンを少なくしても、各レンズ板９２１、９２２の取り付け位置を微調整することにより、図５（Ｂ）に示すように画像形成領域Ａの一部が照明領域Ｂから外れてしまう事態を解消できる。従って、投写画像の縁に影が出来てしまう等といった弊害も発生しない。
【００６１】
さらに、インテグレータ光学系９２３による照明領域Ｂが液晶ライトバルブの画像形成領域Ａに対してずれてしまう要因として、各色の光束の光路上に配置された反射ミラーの反射面の取り付け角度誤差も挙げることができる。反射ミラーの反射面の取り付け角度は、光軸に対して４５°であるが、この角度がずれると、図５（Ｂ）に示すように画像形成領域Ａの一部が照明領域Ｂからずれてしまう場合がある。さらに、図７（Ａ）、（Ｂ）に示しすように照明領域Ｂにひずみが生じてしまい、照明領域Ｂの左側の照度と右側の照度とが不均一になってしまうため、インテグレータ光学系９２３を用いたメリットが失われてしまうことにもなりかねない。
【００６２】
特に、本例の投写型表示装置１０００においては、液晶ライトバルブ９２５Ｇを基準にインテグレータ光学系９２３の微調整を行っているが、このとき、図４に示されているミラー９４３、９７２、９７１の反射面の取り付け角度が光軸に対して４５°でないと液晶ライトバルブ９２５Ｒ、９２５Ｂの画像形成領域に対してそれぞれの照明領域がずれてしまう。また、集光レンズ９５３、中間レンズ９７３の取り付け位置が所定の位置に配置されなかった場合にも、液晶ライトバルブ９２５Ｂの画像形成領域に対して照明領域がずれてしまう。
【００６３】
そこで、本例の投写型表示装置１０００においては、上述したインテグレータ光学系９２３の微調整に加え、図４に示されている赤色光束Ｒを液晶ライトバルブ９２５Ｒの側に向けて反射するミラー９４３、青色光束Ｂを液晶ライトバルブ９２５Ｂの側に向けて反射するミラー９７２の反射面の角度を、入射光軸および反射光軸を含む平面に垂直な軸線の回り（図４矢印方向）に、入射光軸に対して微調整できるようにしている。この反射ミラーの取り付け角度調整機構としては、上述したインテグレータ光学系９２３の位置調整機構と同様な板ばねと角度調整ねじによるものが考えられる。
【００６４】
図８（Ａ）〜（Ｃ）には、反射ミラー９７２の取り付け角度を微調整する機構の一例を示してある。図８（Ａ）は反射ミラー９７２を保持するホルダー板７４０の説明図、図８（（Ｂ）は反射ミラー９７２の取り付け角度の微調整機構を上ライトガイド９０１の側から見た図、図８（Ｃ）は図８（Ｂ）におけるＴ−Ｔ断面部から反射ミラー９７２の取り付け角度の微調整機構を見た図である。これら図に示すように、角度調整機構７３０は、ホルダー板７４０を有し、このホルダー板７４０に設けられた保持部７４６ａ、７４６ｂによって反射ミラー９７２の下部がその反射面とは反対側の面から保持されている。また、反射ミラー９７２の上部は、クリップ７４８によってホルダー板７４０に固定されている。このホルダー板７４０の表面の中央部分には上下方向に延びる軸部７４１が形成されている。
【００６５】
この軸部７４１は下ライトガイド９０２によって回転可能に支持されている。従って、反射ミラー９７２は、ホルダー板７４０を介して軸部７４１の軸線１ｂの回りを所定量のみ回転することができる。また、ホルダー板７４０の一方の側方部分には、ばねホルダー７４４が設けられており、アライメントばね７４２の第１の支点部７４２ａはこのばねホルダー７４４に差し込まれる。アライメントばね７４２の支点部７４２ｂ、７４２ｃは下ライトガイド９０２に設けられた支持部７４９に当接している。従って、ホルダー板７４０は、アライメントばね７４２を介して下ライトガイド９０２に対して支持されている。さらに、ホルダー板７４０のばねホルダー７４４は、下ライトガイド９０２に対してねじ７７１によって固定された板７７０に設けられた調整ねじ７４３によって図中矢印Ｇの方向に押されている。従って、下ライトガイド９０２に設けられたねじ操作部９０２ａから治具を挿入して、調整ねじ７４３のねじ込み量を増やすと、ホルダー板７４０は、その側方部分が調整ねじ７４３によってＧ方向に押されるので、図８（Ｂ）に矢印Ｒ１で示す方向に軸部７４１の軸線１ｂ回りに旋回する。これにより、反射ミラー９７２に入射する光の入射角が大きくなるように、反射ミラー９７２の反射面の角度を変えることができる。逆に、調整ねじ７４３のねじ込み量を減らすと、ホルダー板７４０は、その側方部分がアライメントばね７４２によって−Ｇ方向に引き寄せられるので、図８（Ｂ）に矢印Ｒ２で示す方向に軸部７４１の軸線１ｂ回りに旋回する。これにより、反射ミラー９７２に入射する光の入射角度が小さくなるように、反射ミラー９７２の反射面の角度を変えることができる。換言すれば、調整ねじ７４３のねじ込み量を調整することにより、入射光軸および反射光軸を含む平面に垂直な軸線回りに、反射ミラー９７２の反射面の角度を調整することができる。なお、その他の反射ミラーの反射面の角度を調整する機構としても、上記と同様の機構を当然に採用できる。
【００６６】
なお、本例では、反射ミラー９４３、９７２の取り付け角度を微調整した後、上ライトガイド９０１に設けられた接着剤注入孔９０６ａ、９０６ｂ、９０７ａ、９０７ｂ（図３参照）から接着剤を注入して、これらを固定するようにしている。
このような固定は必ずしも必要ではないが、外部からの衝撃による反射ミラー９４３、９７２のずれを確実に防止するのに有効である。
【００６７】
さらに、この微調整は、液晶ライトバルブ９２５Ｒまたは９２５Ｂ上の画像形成領域の周辺部の照度を測定することにより自動、または手動で行うことが可能である。前述したレンズ板の微調整と同様に、画像形成領域Ａの左右の照度Ｐ１、Ｐ２が一定の値となるまで各反射ミラー９４３、９７２の取り付け角度をずらしていけば良い。また、光量の少ない光源に変更した場合に対応できるようにするためには、画像形成領域Ａの左右の照度Ｐ１、Ｐ２が等しくなる、あるいは、画像形成領域Ａの左右の照度Ｐ１、Ｐ２の加算値が最大となるまで各反射ミラー９４３、９７２の取り付け角度をずらすようにすれば良い。
【００６８】
なお、各反射ミラー９４３、９７２の微調整は、レンズ板の微調整と同様に、液晶ライトバルブ９２５Ｒまたは９２５Ｂ上の画像形成領域Ａの周辺部の照度を測定する代わりに、液晶ライトバルブ９２５Ｒまたは９２５Ｂを照明光が透過する状態にしておき、その像をスクリーン１００上に投写した場合の投写画像の周辺部の照度を測定することにより、自動または手動で行うこともできる。すなわち、図７（Ａ）または（Ｂ）に示す状態でスクリーン１００に投写すると、投写画像の左右の照度が不均一になるので、投写画像の左右の照度を測定して、画像形成領域Ａの照度測定の場合と同様に、左右の照度が一定の値となる、または左右の照度が等しくなる、あるいは左右の照度の加算値が最大になるまで各反射ミラー９４３、９７２の取り付け角度をずらせば良い。
【００６９】
微調整を行う際、反射ミラー９４３と９７２とを同時に動かしても良いが、まず液晶ライトバルブ９２５Ｒによる投写画像あるいは画像形成領域を基準として反射ミラー９４３を動かして角度調整を行い、次に液晶ライトバルブ９２５Ｂによる投写画像あるいは画像形成領域を基準として反射ミラー９７２を動かして角度調整を行うというように、順次取り付け角度を微調整する方法を採っても良い。
【００７０】
本例では、液晶ライトバルブ９２５Ｒ、９２５Ｂに最も近い反射ミラー９４３と９７２の取り付け角度を微調整可能としているが、さらに、他の光学要素である青反射ダイクロイックミラー９４１、緑反射ダイクロイックミラー９４２、入射側反射ミラー９７１の一部、または全部の取り付け角度を微調整可能としても良いし、反射ミラー９４３と９７２のかわりにこれら他の光学要素の一部、または全部の取り付け角度を微調整可能としても良い。また、反射ミラー９７２の代わりに、中間レンズ９７３、または、集光レンズ９５３の位置を調整可能としても良い。しかしながら、本例のように、液晶ライトバルブ９２５Ｒ、９２５Ｂと最も近い位置に配置された反射ミラー９４３、９７２の取り付け角度を微調整可能とするのが構成上、あるいは位置調整の精度上最も有利である。
【００７１】
このように反射ミラー９４３、９７２を微調整可能とすることにより、従来のように、照明領域のずれを予め考慮して液晶ライトバルブの画像形成領域Ａの周囲に広幅のマージンを設定しておく必要が無い。従って、画像形成領域Ａの周囲に形成すべきマージンは極めて少なくて済むので、照明光の利用効率を高めることが可能となり、投写画像の明るさを高めることができる。
【００７２】
また、マージンを少なくしても、反射ミラー９４３、９７２の取り付け角度を微調整することにより、図７（Ａ）、（Ｂ）に示すように画像形成領域Ａの一部が照明領域Ｂから外れてしまうという事態を解消することができ、投写画像の縁に影ができてしまうといった弊害も発生しない。
【００７３】
さらに、反射ミラー９４３、９７２を微調整可能とすることにより、照明領域Ｂのひずみをなくすことができるため、インテグレータ光学系９２３による均一な照明が可能であるというメリットを最大限に活用することができ、明るさが極めて均一な投写画像を得ることが可能となる。
【００７４】
なお、上述したような反射ミラー等の光学要素の角度調整機構は、インテグレータ光学系９２３を用いない投写型表示装置においても有効である。
【００７５】
（その他の実施の形態１）
本発明を適用した別の構成の投写型表示装置の一例を説明する。本例の投写型表示装置２０００の光学系は、インテグレータ光学系と特殊な形状の偏光ビームスプリッタを備えた偏光照明装置を有する構成となっている。尚、本例において、前述した投写型表示装置１０００と同様の構成については、図１〜図８で用いたものと同じ参照番号を付し、その詳細な説明は省略する。
【００７６】
図９は、本例の投写型表示装置２０００の光学系の要部を示した概略構成図であり、ＸＺ平面における構成を示している。本例の投写型表示装置２０００は、偏光照明装置１、白色光束を３色の色光に分離する色光分離手段、それぞれの色光を表示情報に基づいて変調し表示画像を形成する３枚の透過型の液晶装置、３色の色光を合成しカラー画像を形成する色光合成手段、そのカラー画像を投写表示する投写光学系とから大略構成されている。
【００７７】
偏光照明装置１は、ランダムな偏光光束を一方向に出射する光源部１０を備え、この光源部１０から出射されたランダムな偏光光束は、偏光変換装置２０によりほぼ一種類の偏光光束に変換される。
【００７８】
光源部１０は、光源ランプ１０１と、放物面リフレクター１０２から大略構成されており、光源ランプから放射された光は、放物面リフレクター１０２によって一方向に反射され、略平行な光束となって偏光変換装置２０に入射される。ここで、光源部１０の光源光軸Ｒがシステム光軸Ｌに対して一定の距離ＤだけＸ方向に平行シフトした状態となるように、光源部１０は配置されている。
【００７９】
次に、偏光変換装置２０は、第１の光学要素２００と、第２の光学要素３００とから構成されている。
【００８０】
第１の光学要素２００は、前述した投写型表示装置１０００の第１のレンズ板９２１に相当するものであり、ＸＹ平面における断面が矩形状の複数の光束分割レンズ２０１がマトリクス状に配列して構成されている。光源光軸Ｒは第１の光学要素２００の中心に来るように配置されている。第１の光学要素２００に入射した光は、光束分割レンズ２０１により複数の中間光束２０２に分割され、同時に光束分割レンズの集光作用により、システム光軸Ｌと垂直な平面内（図９ではＸＹ平面）の中間光束が収束する位置に光束分割レンズの数と同数の集光像を形成する。尚、光束分割レンズ２０１のＸＹ平面上における断面形状は液晶ライトバルブの画像形成領域の形状と相似形をなすように設定される。本例では、ＸＹ平面上でＸ方向に長い長方形の画像形成領域を想定しているため、光束分割レンズ２０１のＸＹ平面上における断面形状も長方形である。
【００８１】
第２の光学要素３００は、集光レンズアレイ３１０、偏光分離ユニットアレイ３２０、選択位相差板３８０及び結合レンズ３９０から大略構成される複合体であり、第１の光学要素２００による集光像が形成される位置の近傍の、システム光軸Ｌに対して垂直な平面内（図９ではＸＹ平面）に配置される。尚、第１の光学要素２００に入射する光束の平行性が極めて良い場合には、第２の光学要素から集光レンズアレイ３１０を省略した構成としても良い。この第２の光学要素３００は、中間光束２０２のそれぞれをＰ偏光光束とＳ偏光光束とに空間的に分離した後、一方の偏光光束の偏光方向と他方の偏光光束の偏光方向とを揃え、偏光方向がほぼ揃ったそれぞれの光束を一ヶ所の照明領域に導くような機能を有している。
【００８２】
集光レンズアレイ３１０は、第１の光学要素２００とほぼ同様な構成となっている。即ち、集光レンズアレイ３１０は、第１の光学要素２００を構成する光束分割レンズ２０１と同数の集光レンズ３１１をマトリクス状に配列したものであり、それぞれの中間光束を偏光分離ユニットアレイ３２０の特定の場所に集光しながら導く機能を有している。従って、第１の光学要素２００により形成された中間光束２０２の特性に合わせて、また、偏光分離ユニットアレイ３２０に入射する光はその主光線の傾きがシステム光軸Ｌと平行であることが理想的である点を考慮して、各集光レンズのレンズ特性は各々最適化されることが望ましい。但し、一般的には、光学系の低コスト化及び設計の容易さを考慮して、第１の光学要素２００と全く同じものを集光レンズアレイ３１０として用いるか、或いは、光束分割レンズ２０１とＸＹ平面での形状が相似形である集光レンズを用いて構成した集光レンズアレイを用いてもよいことから、本例の場合には、第１の光学要素２００を集光レンズアレイ３１０として用いている。尚、集光レンズアレイ３１０は偏光分離ユニットアレイ３２０から離れた位置（第１の光学要素２００に近い側）に配置してもよい。
【００８３】
偏光分離ユニットアレイ３２０は、図１０（Ａ）、（Ｂ）に示すように、複数の偏光分離ユニット３３０がマトリクス状に配列した構成をなしている。偏光分離ユニット３３０の配列の仕方は、第１の光学要素２００を構成する光束分割レンズ２０１のレンズ特性及びそれらの配列の仕方に対応している。本例においては、全て同じレンズ特性を有する同心系の光束分割レンズ２０１を用いて、それらの光束分割レンズを直交マトリクス状に配列することで第１の光学要素２００を構成しているため、偏光分離ユニットアレイ３２０も全て同じ偏光分離ユニット３３０を全て同じ向きに直交マトリックス状に配列することにより構成されている。尚、Ｙ方向に列ぶ同一列の偏光分離ユニットが全て同じ偏光分離ユニットである場合には、Ｙ方向に細長い偏光分離ユニットをＸ方向に配列して構成した偏光分離ユニットアレイ３２０を用いた方が、偏光分離ユニット間の界面における光損失を低減できると共に偏光分離ユニットアレイの製造コストを低減できるという点で有利である。
【００８４】
偏光分離ユニット３３０は内部に一対の偏光分離面３３１と反射面３３２を備えた四角柱状の構造体であり、偏光分離ユニットに入射する中間光束のそれぞれをＰ偏光光束とＳ偏光光束とに空間的に分離する作用を有している。偏光分離ユニット３３０のＸＹ平面上における断面形状は、光束分割レンズ２０１のＸＹ平面上における断面形状と相似形をなしており、即ち、横長の長方形である。従って、偏光分離面３３１と反射面３３２とは横方向（Ｘ方向）に並ぶように配置されている。ここで、偏光分離面３３１と反射面３３２とは、偏光分離面３３１がシステム光軸Ｌに対して約４５度の傾きをなし、且つ、反射面３３２が偏光分離面と平行な状態をなし、さらに、偏光分離面３３１をＸＹ平面上に投影した面積（後述するＰ出射面３３３の面積に等しい）と反射面３３２をＸＹ平面上に投影した面積（後述するＳ出射面３３４の面積に等しい）とが等しくなるように配置されている。従って、本例では、偏光分離面３３１が存在する領域のＸＹ平面上での横幅Ｗｐと反射面３３２が存在する領域のＸＹ平面上での横幅Ｗｍとは等しくなるように設定されている。尚、一般的に、偏光分離面３３１は誘電体多層膜で、また、反射面３３２は誘電体多層膜或いはアルミニウム膜で形成することができる。
【００８５】
偏光分離ユニット３３０に入射した光は、偏光分離面３３１において、進行方向を変えずに偏光分離面３３１を通過するＰ偏光光束３３５と、偏光分離面３３１で反射され隣接する反射面３３２の方向に進行方向を変えるＳ偏光光束３３６とに分離される。Ｐ偏光光束３３５はそのままＰ出射面３３３を経て偏光分離ユニットから出射され、Ｓ偏光光束３３６は再び反射面３３２で進行方向を変え、Ｐ偏光光束３３５とほぼ平行な状態となって、Ｓ出射面３３４を経て偏光分離ユニットから出射される。従って、偏光分離ユニット３３０に入射したランダムな偏光光束は偏光分離ユニットにより偏光方向が異なるＰ偏光光束３３５とＳ偏光光束３３６の二種類の偏光光束に分離され、偏光分離ユニットの異なる場所（Ｐ出射面３３３とＳ出射面３３４）からほぼ同じ方向に向けて出射される。偏光分離ユニットは上記の様な作用を有することから、それぞれの偏光分離ユニット３３０の偏光分離面３３１が存在する領域にそれぞれの中間光束２０２を導く必要があり、そのため、偏光分離ユニット内の偏光分離面の中央部に中間光束が入射するように、それぞれの偏光分離ユニット３３０とそれぞれの集光レンズ３１１の位置関係やそれぞれの集光レンズ３１１のレンズ特性は設定されている。特に、本例の場合には、それぞれの偏光分離ユニット３３０内の偏光分離面３３１の中央部にそれぞれの集光レンズの中心軸が来るように配置するため、集光レンズアレイ３１０は、偏光分離ユニットの横幅Ｗの１／４に相当する距離だけ、偏光分離ユニットアレイ３２０に対してＸ方向にずらした状態で配置されている。
【００８６】
再び、図９に基づいて説明する。
偏光分離ユニットアレイ３２０の出射面の側には、λ／２位相差板が規則的に配置された選択位相差板３８０が設置されている。即ち、偏光分離ユニットアレイ３２０を構成する偏光分離ユニット３３０のＰ出射面３３３の部分にのみλ／２位相差板が配置され、Ｓ出射面３３４の部分にはλ／２位相差板は設置されていない。この様なλ／２位相差板の配置状態により、偏光分離ユニット３３０から出射されたＰ偏光光束は、λ／２位相差板を通過する際に偏光方向の回転作用を受けＳ偏光光束へと変換される。一方、Ｓ出射面３３４から出射されたＳ偏光光束はλ／２位相差板を通過しないので、偏光方向は変化せず、Ｓ偏光光束のまま選択位相差板３８０を通過する。以上をまとめると、偏光分離ユニットアレイ３２０と選択位相差板３８０により、偏光方向がランダムな中間光束は一種類の偏光光束（この場合はＳ偏光光束）に変換されたことになる。
【００８７】
選択位相差板３８０の出射面の側には、結合レンズ３９０が配置されており、選択位相差板３８０によりＳ偏光光束に揃えられた光束は、結合レンズ３９０により各液晶装置の照明領域へと導かれ、照明領域上で重畳結合される。この結合レンズ３９０は、前述した投写型表示装置１０００における第２のレンズ板９２２に相当する。ここで、結合レンズ３９０は１つのレンズ体である必要はなく、第１の光学要素２００や、前述した投写型表示装置１０００における第２のレンズ板９２２のように、複数のレンズの集合体であってもよい。
【００８８】
第２の光学要素３００の機能をまとめると、第１の光学要素２００により分割された中間光束２０２（つまり、光束分割レンズ２０１により切り出されたイメージ面）は、第２の光学要素３００により照明領域上で重畳結合される。これと同時に、途中の偏光分離ユニットアレイ３２０により、ランダムな偏光光束である中間光束は偏光方向が異なる二種類の偏光光束に空間的に分離され、選択位相差板３８０を通過する際にほぼ一種類の偏光光束に変換される。従って、液晶ライトバルブの画像形成領域は殆ど一種類の偏光光束でほぼ均一に照明されることになる。
【００８９】
以上説明したように、本例の偏光照明装置１によれば、光源部１０から出射されたランダムな偏光光束を、第１の光学要素２００と第２の光学要素３００により構成される偏光変換装置２０により、ほぼ一種類の偏光光束に変換すると共に、その偏光方向の揃った光束により液晶ライトバルブの画像形成領域をほぼ均一に照明できるという効果を有する。また、偏光光束の発生過程においては光損失を殆ど伴わないため、光源部から出射される光の殆どすべてを液晶ライトバルブの画像形成領域へと導くことができ、従って、光の利用効率が極めて高いという特徴を有する。
【００９０】
尚、本例では、第２の光学要素３００を構成する集光レンズアレイ３１０、偏光分離ユニットアレイ３２０、選択位相差板３８０、結合レンズ３９０は光学的に一体化されており、それらの界面において発生する光損失を低減し、光利用効率を一層高める効果を発揮している。
【００９１】
さらに、横長の長方形である画像形成領域の形状に合わせて、第１の光学要素２００を構成する光束分割レンズ２０１を横長の長方形とし、同時に、偏光分離ユニットアレイ３２０から出射される二種類の偏光光束を横方向（Ｘ方向）に分離する形態としている。このため、横長の長方形である画像形成領域を照明する場合でも、光量を無駄にすることなく、照明効率（光利用効率）を高めることができる。
【００９２】
一般に、偏光方向がランダムな光束をＰ偏光光束とＳ偏光光束とに単純に分離すると、分離後の光束全体の幅は２倍に拡がり、それに応じて光学系も大型化してしまう。しかし、本発明の偏光照明装置１では、第１の光学要素２００により微小な複数の集光像を形成し、それらの形成過程で生じた光の存在しない空間を上手く利用し、その空間に偏光分離ユニット３３０の反射面３３２を配置することにより、２つの偏光光束に分離することに起因して生じる光束の横方向への幅の広がりを吸収しているので、光束全体の幅は広がらず、小型の光学系を実現できるという特徴がある。
【００９３】
このように偏光照明装置１を採用した投写型表示装置２０００では、一種類の偏光光束を変調するタイプの液晶装置が用いられている。従って、従来の照明装置を用いてランダムな偏光光束を液晶装置に導くと、ランダムな偏光光束のうちの約半分の光は、偏光板（（図示せず）で吸収されて熱に変わってしまうので、光の利用効率が悪いと共に、偏光板の発熱を抑える大型で騒音の大きな冷却装置が必要であるという問題点があった。しかし、本例の投写型表示装置２０００では、かかる問題点が大幅に改善されている。
【００９４】
即ち、本例の投写型表示装置２０００では、偏光照明装置１において、一方の偏光光束、例えばＰ偏光光束のみに対して、λ／２位相差板によって偏光面の回転作用を与え、他方の偏光光束、例えばＳ偏光光束と偏光方向が揃った状態とする。それ故、偏光方向の揃ったほぼ一種類の偏光光束が３ヶ所の液晶ライトバルブ９２５Ｒ、９２５Ｇ、９２５Ｂに導かれるので、偏光板による光吸収は非常に少なく、従って、光の利用効率が向上し、明るい投写画像を得ることができる。
【００９５】
さらに、偏光照明装置１では、第２の光学要素３００において、２種類の偏光光束を横方向（Ｘ方向）に空間的に分離している。従って、光量を無駄にすることがなく、横長の長方形である液晶装置を照明するのに都合がよい。
【００９６】
なお、本例の偏光照明装置１では、偏光変換光学要素を組み入れているにもかかわらず、偏光分離ユニットアレイ３２０を出射する光束の幅の広がりが抑えられている。このことは、液晶装置を照明する際に、大きな角度を伴って液晶装置に入射する光が殆どないことを意味している。従って、Ｆナンバーの小さな極めて大口径の投写レンズを用いなくても明るい投写画像を実現でき、その結果、小型の投写型表示装置を実現できる。
【００９７】
さて、このように構成した本例の投写型表示装置２０００においても、その偏光照明装置１に含まれる第１の光学要素２００、および第２の光学要素３００のうち少なくとも一方の取り付け位置を、光軸Ｌに直交する方向に調整可能としておけば、偏光照明装置１による各液晶ライトバルブ９２５Ｒ、９２５Ｇ、９２５Ｂの照明領域を前後左右に微調整できるので、各液晶装置の画像形成領域を常に照明領域内に位置させることができる。
【００９８】
ここで、第２の光学要素３００の取り付け位置を上下（±Ｙ方向）に微調整する機構の一例を説明する。図１１（Ａ）、（Ｂ）には、その取り付け位置を上下に微調整する機構の一例を断面図を用いて示してある。図１１（Ｂ）は図１１（Ａ）のＶ−Ｖ断面図である。これらの図に示すように、位置調整機構７５０は、上下に設けられている。上下のライトガイド９０１、９０２によって、光軸１ａに垂直な平面に沿って上下方向に延びる左右一対の垂直壁７６１、７６２と、これらの垂直壁７６１、７６２の下端を繋ぐ底壁７６３と、これらの垂直壁７６１、７６２の上端を繋ぐ上壁７６４とが形成され、各壁７６１〜７６４によって囲われた部分に第２の光学要素３００が配置されている。第２の光学要素３００は、一方の垂直壁７６１との間に設置された固定ばね７６９によって他方の垂直壁７６２に対して押しつけられており、左右（±Ｘ方向）の取り付け位置が規定されている。また、第２の光学要素３００は、その下端が底壁７６３に設けられた保持溝７６８に挿入されている。また、第２の光学要素３００の下部分は、底壁７１３にねじ７８１を介して固定された固定ばね７８３によって、上部分は、上壁７６４にねじ７８０を介して固定された固定ばね７８２によって、光路上流側（−Ｚ方向）に向かって押しつけられている。さらに、第２の光学要素３００の上端は、上壁７６４に設けられた凸部７６７に当接している。よって、第２の光学要素３００は、Ｚ方向の取り付け位置が規定された状態にある。
【００９９】
一方、第２の光学要素３００は、アライメントばね７６５を介して底壁７６３に対して支持され、上壁７６４に設けられた調整ねじ７６６によって下方（＋Ｙ方向）に向かって押されている。従って、調整ねじ７６６のねじ込み量を調整することにより、第２の光学要素３００を上下（±Ｙ方向）に移動させることができる。従って、照明領域Ｂが液晶ライトバルブ９２５の画像形成領域Ａに対して縦方向にずれて、画像形成領域Ａの一部が照明されないような場合には、調整ねじ７６６をきつくしたり、緩めたりして、第２の光学要素３００の取り付け位置を上下に微調整することにより、照明領域Ｂの位置を縦方向にずらして、照明領域Ｂの中に画像形成領域Ａを包含させた状態にすることができる。
【０１００】
その後、第２の光学要素３００は、上ライトガイド９０１に設けられた接着剤注入孔９０８ａ、９０８ｂから接着剤を注入することにより固定される。このような固定は必ずしも必要ではないが、外部からの衝撃による第２の光学要素３００の位置ずれを確実に防止するために有効である。
【０１０１】
なお、第１の光学要素２００、あるいは第２の光学要素３００の取り付け位置を左右（±Ｘ方向）に微調整する機構としては、図６に示したような左右の方向に調整ねじおよびアライメントばねが設けられた位置調整機構を用いることにより容易に実現できる。
【０１０２】
また、調整ねじとアライメントばねを用いた位置調整機構として、上下のライトガイド９０１、９０２に対して直に調整ねじやアライメントばねを設けずに、別構成のレンズホルダーを採用することも勿論可能である。
【０１０３】
さらに、本例においても、上記の各光学素子の位置調整機構、その調整方法、照明領域の調整により得られる作用効果等は前述した投写型表示装置１０００における場合と同様である。
【０１０４】
すなわち、本例の投写型表示装置２０００においては、第１の光学要素２００、第２の光学要素３００の取り付け位置を微調整可能とすることにより、従来のように、照明領域のずれを予め考慮して、液晶装置の画像形成領域の周囲に広幅のマージンを設定しておく必要が無い。従って、画像形成領域の周囲に形成すべきマージンは極めて少なくて済むので、照明光の利用効率を高めて、投写画像の明るさを高めることができる。
【０１０５】
また、マージンを少なくしても、上記の各光学素子の取り付け位置を微調整することにより、液晶装置の画像形成領域の一部が偏光照明装置による照明領域から外れてしまう事態を解消できる。従って、投写画像の縁に影が出来てしまう等といった弊害も発生しない。
【０１０６】
なお、本例では、第２の光学要素３００を構成する集光レンズアレイ３１０、偏光分離ユニット３２０、選択位相差板３８０、結合レンズ３９０が光学的に一体化されており、これらの境界面における光損失を低減するようになっているが、これらは必ずしも一体化する必要はない。これらを一体化しない場合には、集光レンズ３１０の位置を調整するだけでも照明領域の形成位置を調整することが可能である。
【０１０７】
ここで、本例の投写型表示装置２０００においても、偏光照明装置１による液晶装置の照明領域が当該液晶装置の画像形成領域に対してずれてしまう要因として、各色の光束の光路上に配置された反射ミラーの反射面の取り付け角度誤差も挙げることができる。反射ミラーの反射面の取り付け角度は、光軸に対して４５°であるが、この角度がずれると、図７（Ａ）、（Ｂ）に示したように照明領域にひずみが生じてしまい、結果として照明領域が液晶装置の画像形成領域からはみだしてしまうこととなる。また、このように照明領域にひずみが生じている場合は、照明領域の左側の照度と右側の照明とが不均一になってしまうため、偏光照明装置１を用いたメリットが失われてしまうことにもなりかねない。
【０１０８】
そこで、本例の投写型表示装置２０００においても、上述した偏光照明装置１を構成している各光学素子の微調整に加え、各色の光束の光路上に配置された反射ミラー９４３、９７２の反射面の角度を、入射光軸および反射光軸を含む平面に垂直な軸線の回り（図９矢印方向）に、入射光軸に対して微調整できるようにすれば良い。また、反射ミラー９７１、９７２の間に配置されているリレーレンズ９７３の取り付け位置を上下左右に調整するようにしても良い。なお、反射ミラーの反射面の角度を調整する機構の一例としては、図８を参照に説明した取り付け角度調整機構がある。
【０１０９】
（その他の実施の形態２）
先に述べた２つの例においては、液晶ライトバルブ９２５Ｒ、９２５Ｇ、９２５Ｂとして透過型の液晶ライトバルブを用いているが、これらの代わりに反射型の液晶装置を採用した投写型表示装置についても本発明は同様に適用することができる。そこで、先に述べた投写型表示装置２０００における透過型の液晶ライトバルブの代わりに反射型のライトバルブを採用した投写型表示装置の一例を説明する。本例の投写型表示装置３０００において、前述した投写型表示装置２０００と同様の構成部分については、図９〜図１１で用いたものと同じ参照番号を付し、その詳細な説明を省略する。
【０１１０】
図１２は、本例の投写型表示装置３０００の要部を平面的に見た概略構成図である。この図１２は、第２の光学要素３００の中心を通るＸＺ平面における断面図である。
【０１１１】
偏光ビームスプリッタ４００は、図１２のＸＹ平面に対してほぼ４５°の角度にＳ偏光の光束を反射し、かつＰ偏光の光束を透過させるＳ偏光光束反射面４０１を有するプリズムで構成されている。第２の光学要素３００から出射される光束は、ほぼ１種類の偏光方向に変換された光束となっているため、ほぼすべての光束が偏光ビームスプリッタ４００によって反射あるいは透過されることとなる。本例では、第２の光学要素３００から出射される光束はＳ偏光光束であり、このＳ偏光光束はＳ偏光光束反射面４０１によって９０度折り曲げられてダイクロイック膜がＸ字状に貼りあわされたプリズムユニット５００に入射され、ここでＲ、Ｇ、Ｂの３色の成分に分離される。分離されたそれぞれの成分光は、ダイクロイックプリズム５００の３辺に沿って配置された反射型液晶装置６００Ｒ、６００Ｇ、６００Ｂに入射される。反射型液晶装置６００Ｒ、６００Ｇ、６００Ｂに入射された光束は、反射型液晶装置６００Ｒ、６００Ｇ、６００Ｂにより変調される。
【０１１２】
図１３に、反射型液晶装置６００Ｒ、６００Ｇ、６００Ｂの一例を示す。反射型液晶装置６００Ｒ、６００Ｇ、６００Ｂは、マトリクス状に配置された画素のそれぞれにＴＦＴスイッチング素子が接続されたアクティブマトリックス型液晶装置であり、一対の基板６１０、６３０間に液晶層６２０が挟持された構造となっている。基板６１０はシリコンからなり、その一部にソース６１１、ドレイン６１６が形成されている。また、基板６１０上には、アルミ層からなるソース電極６１２及びドレイン電極６１７、二酸化珪素層６１３からなるチャネル、シリコン層６１４及びタンタル層６１５とからなるゲート電極、層間絶縁膜６１８、アルミ層からなる反射画素電極６１９が形成され、ドレイン電極６１７と反射画素電極６１９とはコンタクトホールＨを介して電気的に接続されている。反射画素電極６１９は不透明であるため、ゲート電極、ソース電極６１２、ドレイン電極６１７の上に層間絶縁膜６１８を介して積層することができる。隣り合う画素電極６１９間の距離Ｘはかなり小さくすることが可能であるため、開口率を大きく取ることができ、投写画像を明るくすることが可能である。なお、本例においては、ドレイン６１６、二酸化珪素層６１３´、シリコン層６１４´、タンタル層６１５´から構成される保持容量を設けている。
【０１１３】
一方、対向する基板６３０には、液晶層６２０側の面にＩＴＯからなる対向電極６３１が形成されており、他方の面には反射防止層６３２が形成されている。本例において、液晶層６２０としては、電圧無印加（ＯＦＦ）時には液晶分子６２１が垂直に配向しており、電圧印加（ＯＮ）時には液晶分子６２１が９０度ねじれるスーパーホメオトロピック配向のものを用いている。よって、図４に示したように、電圧無印加（ＯＦＦ）時に偏光ビームスプリッタ４００から反射型液晶装置６００Ｒ、６００Ｇ、６００Ｂに入射されたＳ偏光光束はその偏光方向を変えること無く反射型液晶装置６００Ｒ、６００Ｇ、６００Ｂから偏光ビームスプリッタ４００へ戻されるため、Ｓ偏光光束反射面４０１によって反射されて投写レンズユニット６の方へ到達することはない。一方、電圧印加（ＯＮ）時に偏光ビームスプリッタ４００から反射型液晶装置６００Ｒ、６００Ｇ、６００Ｂに入射されたＳ偏光光束は、液晶分子６２１のねじれによりその偏光方向が変えられてＰ偏光光束となり、Ｓ偏光光束反射面４０１を透過した後、投写レンズユニット６を介してスクリーン１００に投写されることとなる。
【０１１４】
再び図１２に基づいて説明する。反射型液晶装置６００Ｒ、６００Ｇ、６００Ｂによって変調された光束は、プリズムユニット５００によって合成され、偏光ビームスプリッタ４００、投写レンズユニット６を介してスクリーン１００に投写されることとなる。
【０１１５】
本例の投写型表示装置３０００においても、偏光照明装置１の偏光変換装置２０を構成している第１の光学要素２００、第２の光学要素３００の取り付け位置を、光軸に直交する方向に上下左右に移動可能にしておくことにより、この偏光照明装置１による液晶装置の照明領域を適切な位置および形状となるように調整できる。なお、これらの位置調整可能な光学素子の調整機構、調整方法、調整によって得られる作用効果は、上記の投写型表示装置２０００における場合と同様である。
【０１１６】
また、本例の投写型表示装置３０００は、照明領域の調整以外の点についても、前に述べた２つの投写型表示装置と同様の効果が得られる上、次のような効果を得ることができる。すなわち、色分離手段と色合成手段とを同一のプリズムユニットにて構成しているため、光路長をきわめて短くすることができる。また、液晶装置の開口率も大きいため、光の損失を最大限に防ぐことが可能となる。よって、大口径の投写レンズを用いなくともきわめて明るい投写画像を得ることが可能となる。さらに、第１の光学要素、第２の光学要素を用いたことにより、明るさが均一で照度にムラのない偏光光束を照明光として得ることが可能となるため、表示面、並びに投写画面全体に渡ってきわめて均一であり、かつきわめて明るい投写画像を得ることが可能となる。
【０１１７】
なお、反射型の変調手段として、本例では反射型液晶装置６００Ｒ、６００Ｇ、６００Ｂをあげているが、液晶装置以外の反射型の変調手段を用いることも当然可能であり、その構造、その各構成要素の材料、並びに液晶層６２０の動作モードについては上述の例に限られるものではない。
【０１１８】
さらに、偏光ビームスプリッタ４００を構成しているプリズム４０２とプリズムユニット５００を構成しているプリズム５０１を一体のプリズムで構成すれば、これらの境界における光損失を防ぐことが可能となり、より光の利用効率を高めることが可能となる。
【０１１９】
（その他の実施の形態３）
以上述べてきた３つの例では、カラー画像を投写表示可能な投写型表示装置における光学要素の微調整機構について説明したが、このような微調整機構はモノクロ画像を投写する形態の投写表示装置に対しても同様に適用できる。
【０１２０】
また、光学系の配置に関しても上述の例に限られるものではなく、これらの配置を変更しても本発明の効力が失われるものではない。
【０１２１】
さらには、投写型表示装置としては、本例で説明したスクリーンの観察面側から画像を投写する前面投写型表示装置の他に、スクリーンの観察面とは反対側から画像を投写する背面投写型のものがある。本発明は、当然にこの背面投写型のものにも適用可能である。
【０１２２】
【発明の効果】
以上説明したように、本発明の投写型表示装置においては、光源から３つの変調手段までの距離が最も長い色光の光路中に、第１、第２の集光レンズと、これらの間に設けられた中間レンズとを有する導光系が設けられている投写型表示装置において、第１、第２の集光レンズ、または前記中間レンズの取り付け位置が調整可能となっている。従って、変調手段を照明する照明光による照明領域の形成位置を微調整できるので、照明領域の形成位置が変調手段の画像形成領域を包含する位置となるように設定できる。
【０１２３】
従って、照明領域が変調手段の画像形成領域からずれることを想定して大きなマージンを画像形成領域の周囲に形成しておく必要がない。このため、照明光の利用効率を高め、投写画像の明るさを改善できる。また、画像形成領域を包含する位置となるように照明光による照明領域を形成できるので、投写画像の縁に影ができる等といった弊害も発生しない。
【図面の簡単な説明】
【図１】本発明を適用した投写型表示装置の外観形状を示す図である。
【図２】（Ａ）は投写型表示装置の内部構成を示す概略平面構成図、（Ｂ）はその概略断面構成図である。
【図３】光学ユニットと投写レンズユニットの部分を取り出して示す概略平面構成図である。
【図４】光学ユニットに組み込まれている光学系を示す概略構成図である。
【図５】インテグレータ光学系による照明領域と液晶ライトバルブの表示領域の関係を示す模式図である。
【図６】（Ａ）および（Ｂ）は、それぞれレンズ板の取り付け位置を左右に微調整する機構を示す概略断面構成図である。
【図７】反射手段の反射面によるインテグレータ光学系の照明領域の形状の変化を示すための説明図である。
【図８】反射ミラーの取り付け角度を微調整する機構を示す図であり、（Ａ）はホルダー板の説明図、（Ｂ）は微調整機構の平面図、（Ｃ）は微調整機構の断面図である。
【図９】本発明を適用したな投写型表示装置の光学系の別の例を示す概略平面構成図である。
【図１０】（Ａ）は図７の偏光分離ユニットアレイを示す斜視図、（Ｂ）は当該偏光分離ユニットアレイによる偏光光束の分離動作を示すための説明図である。
【図１１】（Ａ）および（Ｂ）は、第２の光学要素の取り付け位置を左右に微調整する機構を示す概略断面構成図である。
【図１２】本発明を適用した投写型表示装置の光学系の更に別の例を示す概略平面構成図である。
【図１３】図９の反射型の液晶装置の動作を示す説明図である。
【図１４】インテグレータ光学系を備えた一般的な投写型表示装置の光学系の概略構成図である。
【図１５】液晶ライトバルブ上の照明領域と画像形成領域との関係を示す説明図である。
【符号の説明】
１  偏光照明装置
１ａ  中心光軸
１ｂ  軸線
２  外装ケース
３  アッパーケース
４  ロアーケース
５  フロントケース
６  投写レンズユニット
７  電源ユニット
８  光源ランプユニット
９  光学ユニット
１０  光源部
１１  インターフェース基板
１２  ビデオ基板
１３  制御基板
１４Ｒ、１４Ｌ  スピーカー
１５Ａ  吸気ファン
１５Ｂ  循環用ファン
１６  排気ファン
１７  補助冷却ファン
１８  フロッピーディスクユニット
２０  偏光発生装置
８１  放電ランプ
８２  リフレクター
１００  スクリーン（投写面）
１０１  光源ランプ
１０２  放物線リフレクター
２００  第１の光学要素
２０１  光束分割レンズ
２０２  中間光束
３００  第２の光学要素
３１０  集光レンズアレイ
３１１  集光レンズ
３２０  偏光分離ユニットアレイ
３３０  偏光分離ユニット
３３１  偏光分離面
３３２  反射面
３３３  Ｐ出射面
３３４  Ｓ出射面
３３５  Ｐ偏光光束
３３６  Ｓ偏光光束
３８０  選択位相差板
３９０  結合レンズ（重畳結合手段）
４００  偏光ビームスプリッタ
４０１  Ｓ偏光光束反射面
４０２  プリズム
５００  プリズムユニット
５０１  プリズム
６００Ｒ、６００Ｇ、６００Ｂ  反射型液晶装置（変調手段）
６１０、６３０  基板
６１１  ソース
６１２  ソース電極
６１３、６１３’  二酸化珪素層
６１４、６１４’  シリコン層
６１５、６１５’  タンタル層
６１６  ドレイン
６１７  ドレイン電極
６１８  層間絶縁膜
６１９  反射画素電極
６２０  液晶層
６３１  対向電極
６３２  反射防止層
７００  位置調整機構
７１０  凸部
７１１、７１２  垂直壁
７１３  底壁
７１４  上壁
７１５  保持溝
７１６、７１８  ねじ
７１７、７１９  固定ばね
７２０  アライメントばね
７２１  調整ねじ
７３０  角度調整機構
７４０  ホルダー板
７４１  軸部
７４２  アライメントばね
７４２ａ、７４２ｂ、７４２ｃ  支点部
７４３  調整ねじ
７４４  ばねホルダー
７４５ａ、７４５ｂ  ばね支持部
７４６ａ、７４６ｂ  保持部
７４８  クリップ
７４９  支持部
７５０  位置調整機構
７６０  レンズホルダー
７６１、７６２  垂直壁
７６３  底壁
７６４  上壁
７６５  アライメントばね
７６６  調整ねじ
７６７  凸部
７６８  保持溝
７６９  固定ばね
７７０  板
７７１  ねじ
７８０、７８１  ねじ
７８２、７８３  固定ばね
８２１  反射面
９０１  上ライトガイド
９０２  下ライトガイド
９０２ａ  ねじ操作部
９０３  ヘッド板
９０４ａ、９０４ｂ、９０５ａ、９０５ｂ、９０６ａ、９０６ｂ、９０７ａ、９０７ｂ、９０８ａ、９０８ｂ  接着剤注入孔
９１０  プリズムユニット
９２１  第１のレンズ板
９２２  第２のレンズ板
９２１ａ、９２２ａ  レンズ
９２３  インテグレータ光学系
９２４  色分離光学系、
９２５、９２５Ｒ、９２５Ｇ、９２５Ｂ  液晶ライトバルブ（変調手段）
９２７  導光系
９３１  反射ミラー
９４１  青緑反射ダイクロイックミラー
９４２  緑反射ダイクロイックミラー
９４３  反射ミラー（反射手段）
９４４  赤色光束の出射部
９４５  緑色光束の出射部
９４６  青色光束の出射部
９５１、９５２、９５３、９５４  集光レンズ
９７１  入射側反射ミラー
９７２  出射側反射ミラー（反射手段）
９７３  中間レンズ
１０００、２０００、３０００  投写型表示装置
【図１】
0003606279.tif 000003
【図２】
0003606279.tif 000004
【図３】
0003606279.tif 000005
【図４】
0003606279.tif 000006
【図５】
0003606279.tif 000007
【図６】
0003606279.tif 000008
【図７】
0003606279.tif 000009
【図８】
0003606279.tif 000010
【図９】
0003606279.tif 000011
【図１０】
0003606279.tif 000012
【図１１】
0003606279.tif 000013
【図１２】
0003606279.tif 000014
【図１３】
0003606279.tif 000015
【図１４】
0003606279.tif 000016
【図１５】
0003606279.tif 000017